(57)【特許請求の範囲】
【請求項１】
第１と第２と第３の圧縮式のヒートポンプＡ、Ｂ、Ｃと、空調用空気を被空調空間へ給気する送風機６と、熱交換用空気を送風する凝縮用送風機７と、を備え、循環冷媒で空調用空気の熱交換をする前記第１ヒートポンプＡの冷媒−空気熱交換用第１蒸発器２ａと前記第２ヒートポンプＢの冷媒−空気熱交換用第２蒸発器２ｂと前記第３ヒートポンプＣの冷媒−空気熱交換用第３蒸発器２ｃとを、前記空調用空気の送風方向へ前記第１蒸発器２ａ、前記第２蒸発器２ｂ、前記第３蒸発器２ｃの順で配設すると共に、熱交換用空気で前記循環冷媒の熱交換をする前記第３ヒートポンプＣの冷媒−空気熱交換用第２凝縮器３ｃと前記第１・第２ヒートポンプＡ、Ｂ共用の冷媒−空気熱交換用第１凝縮器３ａとを、前記熱交換用空気の送風方向へ前記第２凝縮器３ｃ、前記第１凝縮器３ａの順で配設し、前記第１蒸発器２ａと前記第２蒸発器２ｂとの間、前記第２蒸発器２ｂと前記第３蒸発器２ｃとの間、前記第３蒸発器２ｃの風下、のうちの二箇所又は全箇所に加湿器５を配設し、前記第１ヒートポンプＡの前記第１蒸発器２ａと前記第１凝縮器３ａによる循環冷媒の吸熱と放熱を、前記第２ヒートポンプＢの前記第２蒸発器２ｂと前記第１凝縮器３ａによる循環冷媒の吸熱と放熱を、及び、前記第３ヒートポンプＣの前記第３蒸発器２ｃと前記第２凝縮器３ｃによる循環冷媒の吸熱と放熱を、各々切換自在に構成したことを特徴とするヒートポンプ式空調機。
【請求項２】
すくなくとも第３ヒートポンプＣに、三方弁１０により第３蒸発器２ｃへの冷媒循環を停止して第２凝縮器３ｃのみに前記第３ヒートポンプＣの圧縮機４ｃのホットガスを循環させ除霜させる凝縮器除霜回路Ｇを、設けた請求項１記載のヒートポンプ式空調機。
【請求項３】
第１と第２と第３の蒸発器２ａ、２ｂ、２ｃのフィンチューブと第１と第２の凝縮器３ｃのフィンチューブを楕円管にした請求項１又は２記載のヒートポンプ式空調機。
【発明の詳細な説明】
【技術分野】
【０００１】
本発明はヒートポンプ式空調機に関するものである。
【背景技術】
【０００２】
電子工場や農業工場、飼育室、穀物倉庫などの特殊環境の空調では、空調用空気に対して加熱と冷却を所定順序で行い適宜加湿して温湿度調整をする必要がある。そのため、たとえば冷水コイル（冷却コイル）と温水コイル（加熱コイル）や加湿器などを備え、熱源水回路を４管式として冷水コイルと温水コイルに冷水と温水を別々に流して運転する方式があるが、４管式の熱源水回路では配管距離が長くて設備コストがかかり、冷水と温水を同時に作る必要があるため熱源機の運転コストもかかる問題がある。
【０００３】
また、ヒートポンプは空気加熱温度（冷媒凝縮温度）に上限があるため、所望の給気温湿度（特に高温高湿）に対して空気温湿度が低く加湿量を多く必要とする条件では、気化方式で加湿すると蒸発潜熱により所望の給気温度に達しない場合がある。そのため、空調可能な温湿度範囲が狭くなり、圧縮効率ひいては成績係数（ＣＯＰ）が低下する問題がある。また、寒冷地や暑地では外気などの空調用空気の予熱や予冷を行う場合があるが、空調機とは別個に冷温水コイルなどの加熱器や冷却器が必要となる。また、空冷ヒートポンプを使用する場合に蒸発器を増やして能力を高めようとすると凝縮器側に大型の送風機が必要となり運転コストが掛かる問題がある。
【０００４】
【特許文献１】特開昭６３−２３３２４４号公報
【発明の開示】
【発明が解決しようとする課題】
【０００５】
解決しようとする問題点は、設備コストや運転コストが高くなる点であり、各種の特殊環境の空調に幅広く対応でき、コンパクトでＣＯＰの良いヒートポンプ式空調機を提供する。
【課題を解決するための手段】
【０００６】
本発明は、上記課題を解決するため、第１と第２と第３の圧縮式のヒートポンプと、空調用空気を被空調空間へ給気する送風機と、熱交換用空気を送風する凝縮用送風機と、を備え、循環冷媒で空調用空気の熱交換をする前記第１ヒートポンプの冷媒−空気熱交換用第１蒸発器と前記第２ヒートポンプの冷媒−空気熱交換用第２蒸発器と前記第３ヒートポンプの冷媒−空気熱交換用第３蒸発器とを、前記空調用空気の送風方向へ前記第１蒸発器、前記第２蒸発器、前記第３蒸発器の順で配設すると共に、熱交換用空気で前記循環冷媒の熱交換をする前記第３ヒートポンプの冷媒−空気熱交換用第２凝縮器と前記第１・第２ヒートポンプ共用の冷媒−空気熱交換用第１凝縮器とを、前記熱交換用空気の送風方向へ前記第２凝縮器、前記第１凝縮器の順で配設し、前記第１蒸発器と前記第２蒸発器との間、前記第２蒸発器と前記第３蒸発器との間、前記第３蒸発器の風下、のうちの二箇所又は全箇所に加湿器を配設し、前記第１ヒートポンプの前記第１蒸発器と前記第１凝縮器による循環冷媒の吸熱と放熱を、前記第２ヒートポンプの前記第２蒸発器と前記第１凝縮器による循環冷媒の吸熱と放熱を、及び、前記第３ヒートポンプの前記第３蒸発器と前記第２凝縮器による循環冷媒の吸熱と放熱を、各々切換自在に構成したことを最も主要な特徴とする。
【発明の効果】
【０００７】
請求項１の発明によれば、
（１）特殊環境の空調運転が４管式の冷温水コイルを使わずにヒートポンプのみでできる。
（２）２箇所又は３箇所に加湿器を配設しているので、複数段階に分けて加熱と加湿を行え、空調可能な温湿度範囲（特に高温高湿側）が広がり、圧縮効率ひいてはＣＯＰが良くなる。
（３）第１と第２のヒートポンプで空調運転し、第３ヒートポンプで予冷や予熱ができるので、温湿度制御幅が広がり、特に外気処理をして給気する場合に有効で、空調機と別個の予冷・予熱用機器が不要となる。
（４）除湿乾燥空調運転などのように第１と第２の凝縮器の一方が凝縮で他方が蒸発の場合、熱交換用空気を介して第１と第２の凝縮器同士で循環冷媒の熱交換を行えて送風動力が少なくて済み、送風機の小型化と省エネを図れる。例えば、空調用空気を第１蒸発器と第２蒸発器にて冷却減湿してから第３蒸発器にて加熱する除湿乾燥運転では、第２凝縮器で冷却した熱交換用空気にて第１凝縮器の冷媒凝縮を行うので凝縮温度が下がり、第１蒸発器と第２蒸発器の冷凍能力が高まり第１ヒートポンプと第２ヒートポンプの圧縮動力が減ってＣＯＰが向上する。
請求項２の発明によれば、
（１）空調用空気を第１蒸発器と第２蒸発器により加熱する場合、第１凝縮器に着霜が発生するような熱交換用空気の条件でも第１と第２のヒートポンプの運転を停止することなく、凝縮器除霜回路により第１凝縮器の着霜を防止でき、快適な空調を行える。
（２）第３蒸発器への冷媒循環を停止して第２凝縮器のみにホットガスを循環させ除霜させるので、除霜能力が高くて短時間で除霜でき、温湿度制御の安定性に優れる。
請求項３の発明によれば、
（１）圧力損失が減少して熱交換効率が向上するので小型の送風機を用いることができ騒音低減を図れる。第１と第２と第３の蒸発器と第１と第２の凝縮器も小型化でき空調機をコンパクト化できる。
【実施例】
【０００８】
図１と図２は、本発明のヒートポンプ式空調機の一実施例を示しており、実線及び点線の白抜き矢印は送風方向を示す。この空調機は、ケーシング１内に、給気送風路９と、第１と第２と第３の圧縮式のヒートポンプＡ、Ｂ、Ｃと、加湿器５、５と、空調用空気を被空調空間へ給気する送風機６と、送風路８と、外気や還気あるいはその混合空気などの熱交換用空気を送風する凝縮用送風機７と、を備え、循環冷媒で空調用空気の熱交換をする第１ヒートポンプＡの冷媒−空気熱交換用第１蒸発器２ａと第２ヒートポンプＢの冷媒−空気熱交換用第２蒸発器２ｂと第３ヒートポンプＣの冷媒−空気熱交換用第３蒸発器２ｃとを、空調用空気の送風方向へ第１蒸発器２ａ、第２蒸発器２ｂ、第３蒸発器２ｃの順で配設すると共に、熱交換用空気で前記循環冷媒の熱交換をする第３ヒートポンプＣの冷媒−空気熱交換用第２凝縮器３ｃと第１・第２ヒートポンプＡ、Ｂ共用の冷媒−空気熱交換用第１凝縮器３ａとを、前記熱交換用空気の送風方向へ第２凝縮器３ｃ、第１凝縮器３ａの順で配設し、第２蒸発器２ｂと第３蒸発器２ｃとの間、第３蒸発器２ｃの風下、の両方に加湿器５を配設し、第１ヒートポンプＡの第１蒸発器２ａと第１凝縮器３ａによる循環冷媒の吸熱と放熱を、第２ヒートポンプＢの第２蒸発器２ｂと第１凝縮器３ａによる循環冷媒の吸熱と放熱を、及び、第３ヒートポンプＣの第３蒸発器２ｃと第２凝縮器３ｃによる循環冷媒の吸熱と放熱を、各々切換自在に構成する。
【０００９】
第１と第２と第３のヒートポンプＡ、Ｂ、Ｃの各蒸発器２ａ、２ｂ、２ｃは冷媒蒸発・冷媒凝縮切換え自在に構成し、たとえば、第１蒸発器２ａと第２蒸発器２ｂと第３蒸発器２ｃの１つもしくは２つもしくは全てにて冷媒蒸発させるサイクルと第１蒸発器２ａと第２蒸発器２ｂの両方又は一方にて冷媒蒸発かつ第３蒸発器２ｃにて冷媒凝縮させるサイクルと第１蒸発器２ａにて冷媒蒸発かつ第２蒸発器２ｂと第３蒸発器２ｃの両方又は一方にて冷媒凝縮させるサイクルと第１蒸発器２ａと第２蒸発器２ｂと第３蒸発器２ｃの１つもしくは２つもしくは全てにて冷媒凝縮させるサイクルとにすくなくとも切換自在、又は、第１蒸発器２ａと第２蒸発器２ｂの両方又は一方にて冷媒蒸発かつ第３蒸発器２ｃにて冷媒凝縮させるサイクルと第１蒸発器２ａにて冷媒蒸発かつ第２蒸発器２ｂと第３蒸発器２ｃの両方又は一方にて冷媒凝縮させるサイクルと第１蒸発器２ａと第２蒸発器２ｂと第３蒸発器２ｃの１つもしくは２つもしくは全てにて冷媒凝縮させるサイクルとにすくなくとも切換自在、又は、第１蒸発器２ａと第２蒸発器２ｂと第３蒸発器２ｃの１つもしくは２つもしくは全てにて冷媒蒸発させるサイクルと第１蒸発器２ａと第２蒸発器２ｂの両方又は一方にて冷媒凝縮かつ第３蒸発器２ｃにて冷媒蒸発させるサイクルと第１蒸発器２ａにて冷媒凝縮かつ第２蒸発器２ｂと第３蒸発器２ｃの両方又は一方にて冷媒蒸発させるサイクルとにすくなくとも切換自在、に構成する。
【００１０】
第１凝縮器３ａ及び第３ヒートポンプＣの第２凝縮器３ｃは冷媒−空気熱交換器とすると共に、すくなくとも第３ヒートポンプＣにホットガス方式の凝縮器除霜回路Ｇを設ける。第１凝縮器３ａ内の第１ヒートポンプＡの冷媒流通路と第２ヒートポンプＢの冷媒流通路とを互いに熱交換自在として配設し、第１凝縮器３ａにおいて第１ヒートポンプＡの冷媒と第２ヒートポンプＢの冷媒の一方が蒸発で他方が凝縮する状態でこの異なる両冷媒が対向状に流通するように構成し、カウンタフローによる熱伝達の均一化と効率化を図る。さらに第１凝縮器３ａを、フィンチューブ１列毎、フィンチューブ１段毎又はフィンチューブ１本毎に、流れる冷媒が異なるように構成し、空気との熱交換ムラをなくし性能の安定化を図る。第１ヒートポンプＡは、熱交換用空気で循環冷媒の熱交換をする共用の第１凝縮器３ａと、循環冷媒で空調用空気の熱交換をする第１蒸発器２ａと、第１の圧縮機４ａと、膨張弁と、冷媒循環方向の正逆の切換弁（四方弁）と、図示省略の受液器等と、を備え、これらを配管接続して冷媒循環回路を構成しかつ切換弁により第１凝縮器３ａと第１蒸発器２ａの吸熱と放熱（蒸発機能と凝縮機能）を切換自在に構成する。第２ヒートポンプＢは、共用の第１凝縮器３ａと、循環冷媒で空調用空気の熱交換をする第２蒸発器２ｂと、第２の圧縮機４ｂと、膨張弁と、冷媒循環方向の正逆の切換弁（四方弁）と、図示省略の受液器等と、を備え、これらを配管接続して冷媒循環回路を構成しかつ切換弁により第１凝縮器３ａと第２蒸発器２ｂの吸熱と放熱（蒸発機能と凝縮機能）を切換自在に構成する。第３ヒートポンプＣは、熱交換用空気で循環冷媒の熱交換をする第２凝縮器３ｃと、循環冷媒で空調用空気の熱交換をする第３蒸発器２ｃと、圧縮機４ｃと、膨張弁と、冷媒循環方向の正逆の切換弁（四方弁）と、図示省略の受液器等と、を備え、これらを配管接続して冷媒循環回路を構成しかつ切換弁により第２凝縮器３ｃと第３蒸発器２ｃの吸熱と放熱（蒸発機能と凝縮機能）を切換自在に構成する。第３ヒートポンプＣには、三方弁１０により第３蒸発器２ｃへの冷媒循環を停止して第２凝縮器３ｃのみに圧縮機４ｃのホットガスを循環させ除霜させる凝縮器除霜回路Ｇを設けているが、この凝縮器除霜回路Ｇを、他のヒートポンプＡ、Ｂに設けるも自由である。加湿器５は、気化方式や蒸気吹出し方式など各種方式のものを用いることができるが、蒸気吹出し方式とすれば、温度降下せず無段階制御が可能で精度良く温湿度制御を行えて、蒸発器の負荷を少なくできる。
【００１１】
給気送風路９の空調用空気入口と空調用空気出口はケーシング１に設け、空調用空気入口は還気取入用や外気取入用あるいは還気と外気の混合空気取入用としてダクトなどを介して室内などの被空調空間や屋外と連通させ、空調用空気出口は給気用としてダクトなどを介して室内などの被空調空間に連通させる。送風路８の熱交換用空気入口と熱交換用空気出口はケーシング１に設け、熱交換用空気入口は還気取入用や外気取入用あるいは還気と外気の混合空気取入用としてダクトなどを介して室内などの被空調空間や屋外と連通させ、熱交換用空気出口は排気用としてダクトなどを介して屋外などに連通させる。給気送風路９と送風路８は互いに送風方向が逆になるように並列に配設し、給気送風路９の空調用空気出口と送風路８の熱交換用空気入口を同一面側に位置させて、ダクト施工をやり易くする。この第２凝縮器３ｃと第１凝縮器３ａに送風すると共に、送風機６で送風することにより第１蒸発器２ａと第２蒸発器２ｂと第３蒸発器２ｃにて空調用空気を熱交換（冷却・加熱）して被空調空間に給気し、各種環境に応じた空調運転を行う。第１蒸発器２ａと第２蒸発器２ｂと第３蒸発器２ｃと第１凝縮器３ａと第２凝縮器３ｃのフィンチューブは圧損の少ない楕円管にするのが好ましいが円形管でもよい。
【００１２】
図例の空調機は、第１と第２と第３のヒートポンプＡ、Ｂ、Ｃと送風機６、７と風上側と風下側の加湿器５、５の各々の容量制御をすると共に給気送風路入口空気温湿度に応じて第１蒸発器２ａと第２蒸発器２ｂと第３蒸発器２ｃとの冷媒蒸発・冷媒凝縮を切換する制御手段（図示省略）を、備える。被空調空間の外気処理を行うには、たとえば、所望の給気温湿度に対して給気送風路入口空気温湿度が高い場合は、第１蒸発器２ａと第２蒸発器２ｂと第３蒸発器２ｃの１つもしくは２つもしくは全てにて冷却減湿、又は、第１蒸発器２ａにて冷却減湿してから第２蒸発器２ｂと第３蒸発器２ｃの両方又は一方にて加熱して温調、又は、第１蒸発器２ａと第２蒸発器２ｂの両方又は一方にて冷却減湿してから第３蒸発器２ｃにて加熱して温調し、所定の給気温湿度に制御する。所望の給気温湿度に対して給気送風路入口空気の温度が低く湿度が高い場合は、第１蒸発器２ａにて冷却減湿してから第２蒸発器２ｂと第３蒸発器２ｃの両方又は一方にて加熱して温調、又は、第１蒸発器２ａと第２蒸発器２ｂの両方又は一方にて冷却減湿してから第３蒸発器２ｃにて加熱して温調し、所定の給気温湿度に制御する。所望の給気温湿度に対して給気送風路入口空気温湿度が低い場合は、第１蒸発器２ａと第２蒸発器２ｂの両方又は一方にて加熱してから風上側加湿器５にて加湿し、さらに、第３蒸発器２ｃにて加熱してから風下側加湿器５にて加湿し、所定の給気温湿度に制御する。この場合、所望の給気温湿度にするのに必要な加熱量と加湿量に応じて、第１蒸発器２ａと第２蒸発器２ｂと第３蒸発器２ｃの１つもしくは２つもしくは全てにて加熱し風上側加湿器５と風下側加湿器５のいずれか一方のみで加湿して所定の給気温湿度に制御することもできる。所望の給気温湿度に対して給気送風路入口空気の温度が高く湿度が低い場合は第１蒸発器２ａと第２蒸発器２ｂと第３蒸発器２ｃの１つもしくは２つもしくは全てにて乾き冷却し、風上側加湿器５と風下側加湿器５の両方又は一方にて加湿し、所定の給気温湿度に制御する。前記の制御手段は凝縮器負荷に応じて送風機７による凝縮器面風速制御も行う。たとえば、凝縮器負荷が大きくなると凝縮器面風速を増加させ、凝縮器負荷が小さくなると凝縮器面風速を減少させる。この凝縮器３の面風速を４．０〜６．０ｍ／ｓに設定することにより、圧縮機性能限界以上に熱量を確保でき、ＣＯＰが向上する。このように高風速で凝縮器の熱交換をすることによりＣＯＰが向上して省エネを図れ、小型の凝縮器を使用できて空調機のコンパクト化を図れ、凝縮器面風速制御により細かく空調機の能力調整ができ、圧縮機を大型化せずとも寒冷地から暑地まで広範囲の地域で使用できる。
【００１３】
また、被空調空間を恒温恒湿に空調するには、たとえば、風下側加湿器５を蒸気吹出し方式とした場合を例示すると、所望の給気温湿度に対して給気送風路入口空気温湿度が高い場合と所望の給気温湿度に対して給気送風路入口空気の温度が低く湿度が高い場合は、第１蒸発器２ａにて冷却減湿してから第２蒸発器２ｂと第３蒸発器２ｃの両方又は一方にて加熱して温調、又は、第１蒸発器２ａと第２蒸発器２ｂの両方又は一方にて冷却減湿してから第３蒸発器２ｃにて加熱して温調、又は、第１蒸発器２ａにて冷却減湿してから第２蒸発器２ｂと第３蒸発器２ｃの両方又は一方にて加熱して温調したのち風下側加湿器５にて蒸気により温度を下げずに加湿、又は、第１蒸発器２ａと第２蒸発器２ｂの両方又は一方にて冷却減湿してから第３蒸発器２ｃにて加熱して温調したのち風下側加湿器５にて蒸気により温度を下げずに加湿し、所定の給気温湿度に制御する。所望の給気温湿度に対して給気送風路入口空気温湿度が低い場合は、第１蒸発器２ａと第２蒸発器２ｂと第３蒸発器２ｃの１つもしくは２つもしくは全てにて加熱して温調したのち風下側加湿器５にて蒸気により温度を下げずに加湿し、所定の給気温湿度に制御する。この場合、第１蒸発器２ａ又は第２蒸発器２ｂにて加熱してから風上側加湿器５にて加湿し、さらに、第３蒸発器２ｃにて加熱してから風下側加湿器５にて蒸気により温度を下げずに加湿し、所定の給気温湿度に制御することもできる。所望の給気温湿度に対して給気送風路入口空気の温度が高く湿度が低い場合は第１蒸発器２ａと第２蒸発器２ｂと第３蒸発器２ｃの１つもしくは２つもしくは全てにて乾き冷却して温調したのち風下側加湿器５にて蒸気により温度を下げずに加湿し、所定の給気温湿度に制御する。
【００１４】
この場合、風上側と風下側の加湿器５、５を止めて加湿せずに被空調空間を除湿乾燥することができる。たとえば、所望の給気温湿度に対して給気送風路入口空気温湿度が高い場合と所望の給気温湿度に対して給気送風路入口空気の温度が低く湿度が高い場合は第１蒸発器２ａと第２蒸発器２ｂの両方又は一方にて冷却減湿してから第３蒸発器２ｃにて加熱、又は、第１蒸発器２ａにて冷却減湿してから第２蒸発器２ｂと第３蒸発器２ｃの両方又は一方にて加熱し、所定の給気温湿度に制御する。所望の給気温湿度に対して給気送風路入口空気温湿度が低い場合は第１蒸発器２ａと第２蒸発器２ｂと第３蒸発器２ｃの１つもしくは２つもしくは全てにて加熱し、所定の給気温湿度に制御する。
【００１５】
また、被空調空間を低温加湿するには、たとえば、所望の給気温湿度に対して給気送風路入口空気温湿度が高い場合は第１蒸発器２ａと第２蒸発器２ｂと第３蒸発器２ｃの１つもしくは２つもしくは全てにて冷却減湿し、所定の給気温湿度に制御する。所望の給気温湿度に対して給気送風路入口空気温湿度が低い場合は第１蒸発器２ａと第２蒸発器２ｂの両方又は一方にて加熱してから風上側加湿器５にて加湿しそののち第３蒸発器２ｃにて乾き冷却し、所定の給気温湿度に制御する。所望の給気温湿度に対して給気送風路入口空気の温度が高く湿度が低い場合は風上側加湿器５にて加湿してから第２蒸発器２ｂと第３蒸発器２ｃの両方又は一方にて乾き冷却し、所定の給気温湿度に制御する。また、上述の各空調例において、第１蒸発器２ａと第２蒸発器２ｂの一方又は両方で加熱し第１凝縮器３ａに着霜が発生するような場合、第３蒸発器２ｃへの冷媒循環を停止して第２凝縮器３ｃのみにホットガスを循環させ、第２凝縮器３ｃにて加熱された空気で、第１と第２のヒートポンプＡ、Ｂの運転を止めることなく第１凝縮器３ａの除霜を行なうことができる。なお、図示省略するが、加湿器５は、第１蒸発器２ａと第２蒸発器２ｂとの間、第２蒸発器２ｂと第３蒸発器２ｃとの間、第３蒸発器２ｃの風下、のうちの一箇所又は二箇所又は全箇所に配設するも自由であり、全個所とすれば３段階で加熱・加湿が可能となり、一層給気温湿度制御幅が広がる。
【００１６】
なお、本発明は前記実施例に限定されず、本発明の要旨を逸脱しない範囲で設計変更自由であり、たとえば、第１と第２と第３のヒートポンプＡ、Ｂ、Ｃや制御手段の構成、第１蒸発器２ａと第２蒸発器２ｂと第３蒸発器２ｃの冷媒蒸発と冷媒凝縮のサイクルの変更や増減は自由である。
【図面の簡単な説明】
【００１７】
【図１】ヒートポンプ式空調機の実施例を示す正面図。
【図２】ヒートポンプの簡略説明図。
【符号の説明】
【００１８】
２ａ    第１蒸発器
２ｂ    第２蒸発器
２ｃ    第３蒸発器
３ａ    第１凝縮器
３ｃ    第２凝縮器
５      加湿器
Ａ      第１ヒートポンプ
Ｂ      第２ヒートポンプ
Ｃ      第３ヒートポンプ
【図１】
0004505486.tif 000002
【図２】
0004505486.tif 000003